(57)【特許請求の範囲】
【請求項１】
車両（１００）のロール安定化のためのスタビライザ（１０５）であって、
第１スタビライザ部（１１０）及び第２スタビライザ部（１１５）を有し、前記第１スタビライザ部（１１０）は、前記車両（１００）の第１サスペンション部（１２０）と連結されており、前記第２スタビライザ部（１１５）は、前記車両（１００）の第２サスペンション部（１２５）と連結されており；
少なくとも一つの電気モータ（１３５）を有し、当該電気モータは、前記第２サスペンション部（１２５）から前記第１サスペンション部（１２０）を非連動にするために、制御信号を用いて前記第２スタビライザ部（１１５）に対して前記第１スタビライザ部（１１０）を回転させる構成とされており、
制御装置（９００）を有し、当該制御装置（９００）が、前記第１サスペンション部（１２０）及び／又は前記第２サスペンション部（１２５）の往復運動を表す往復運動信号を読み取るように形成されている読取ユニット（９０５）と、当該読取ユニット（９０５）と接続された生成ユニット（９１０）とを有し、
前記生成ユニット（９１０）は、磁界方向制御のアルゴリズムに基づきながら前記往復運動信号を用いて前記制御信号を生成する、
特徴を有するスタビライザ（１０５）。
【請求項２】
請求項１に記載の少なくとも一つのスタビライザ（１０５）を有する車両（１００）。
【請求項３】
請求項１に記載のスタビライザ（１０５）を動作させる方法（８００）であって、以下の：
前記往復運動信号を読取るステップ（８０５）と、
前記往復運動信号を用いるとともに磁界方向制御のアルゴリズムを用いて前記制御信号を生成するステップ（８１０）であって、前記第２サスペンション部（１２５）から前記第１サスペンション部（１２０）を非連動にするために、前記電気モータ（１３５）により前記第２スタビライザ部（１１５）に対して前記第１スタビライザ部（１１０）を回転させるようにするステップと、
を有する方法（８００）。
【請求項４】
請求項３に記載の方法（８００）において、
前記生成のステップ（８１０）では、さらに、前記制御信号を求めるためにｄ／ｑ変換が行われることを特徴とする方法。
【請求項５】
請求項４に記載の方法（８００）において、
前記読み取るステップ（８０５）では、さらに、ロータ角度信号を読み取り、当該ロータ角度信号は、前記電気モータ（１３５）のロータの角度を表し、前記生成するステップ（８１０）では、前記ロータ角度信号を用いて前記ｄ／ｑ変換を行うことを特徴とする方法。
【請求項６】
請求項３乃至５のいずれか一項に記載の方法（８００）において、
前記生成するステップ（８１０）では、さらに、前記電気モータ（１３５）の磁束密度及びトルクを用いて、又は、前記磁束密度と前記トルクとの間の関係を用いて前記制御信号を求めることを特徴とする方法。
【請求項７】
請求項３乃至６のいずれか一項に記載の方法（８００）において、
前記生成するステップ（８１０）では、さらに、状態観測器システムに基づいて前記制御信号を求めることを特徴とする方法。
【請求項８】
請求項３乃至７のいずれか一項に記載の方法（８００）の全てのステップを実行する及び／又は制御するように構成されている制御装置（９００）。
【請求項９】
請求項３乃至７のいずれか一項に記載の方法（８００）の全てのステップを実行するように作成されているコンピュータプログラム。
【請求項１０】
機械で読み取り可能な記録媒体であって、当該媒体上に保存された請求項９に記載のコンピュータプログラムを保持する記録媒体。
【発明の詳細な説明】
【技術分野】
【０００１】
本発明は、車両のロール・スタビライゼーション（ロール安定化）（Ｗａｎｋｓｔａｂｉｌｉｓｉｅｒｕｎｇ）のためのスタビライザ、そのようなスタビライザを動作させる方法、それに対応した制御装置及びそれに対応したコンピュータプログラム製品に関する。
【背景技術】
【０００２】
車両のアクティブ・ロール・スタビライゼーション（アクティブ・ロール安定化）により、カーブ走行時の高いロール剛性と、車輪の片側の励振（Ａｎｒｅｇｕｎｇ）および両側交互の励振における非連動性（Ｅｎｔｋｏｐｐｌｕｎｇ）との間の相反性を解消することができる。これは、ドライバにとっての快適性と安全性とが得られることを意味する。この場合、パッシブ型のスタビライザが、アクティブ型のスタビライザに置き換えられていることがある。このアクティブ・ロール・スタビライゼーションは、例えば二つのスタビライザ半部と一つのアクティブ構成要素とを備え、当該アクティブ構成要素が、二つのスタビライザ半部をアクティブに互いに逆向きに回転させる構成とされている。
【０００３】
上記のアクティブ構成要素は、油圧モータか電気モータかによるトランスミッションユニットとして構成することができる。今日、量産型のアクティブ・ロール安定化システムは、アクティブ・ロール・システム（Ａｃｔｉｖｅ  Ｒｏｌｌ  Ｓｙｓｔｅｍ）（ＡＲＳ）とも呼ばれ、例えば油圧モータを具備して構成されている。
【０００４】
このような油圧式のシステムを電気モータに置き換えることは、動的応答性（Ｓｔｅｌｌｄｙｎａｍｉｋ）、車両における取り付け及び消費の点でメリットがあり得る。
【発明の概要】
【発明が解決しようとする課題】
【０００５】
こうした背景のもと、本発明は、改善された、独立請求項に係る車両のロール安定化のためのスタビライザ、そのようなスタビライザを動作させる方法、それに対応した制御装置、そして最後には、それに対応したコンピュータプログラム製品を提供する。有利な構成は、従属請求項及び以下の記載により与えられる。
【課題を解決するための手段】
【０００６】
本着想は、車両のロール安定化のためのスタビライザを提供し、当該スタビライザは、以下の特徴を有する：
第１スタビライザ部及び第２スタビライザ部：ここで、第１スタビライザ部は、車両の第１サスペンション部に連結されているか又は連結可能とされており、第２スタビライザ部は、車両の第２サスペンション部に連結されているか又は連結可能とされている；
少なくとも一つの電気モータ：当該電気モータは、第２サスペンション部から第１サスペンション部を非連動にする（連結を断って独立にする）（Ｅｎｔｋｏｐｐｅｌｎ）ために、第２スタビライザ部に対して第１スタビライザ部を制御信号により回転させる構成とされており、制御信号は、磁界方向制御（ｆｅｌｄｏｒｉｅｎｔｉｅｒｔｅ  Ｒｅｇｅｌｕｎｇ）のアルゴリズムにより求められた信号である。
【０００７】
車両は、乗用車や商用車といった二本の軌跡を残す自動車を意味するものでもよい。スタビライザ部は、二つの分割された回転バーの一部分を意味するものでもよい。第１サスペンション部は、回転バーを介して第２サスペンション部に接続可能とされている。第１及び第２サスペンション部とは、それぞれ例えば車両のコイルオーバー、コントロールアーム、特にトランスバースコントロールアームのことであってもよい。第１及び第２スタビライザ部の間に、電気モータが配置されていてもよい。当該電気モータは、第１及び第２スタビライザ部が、概ね車両の横軸線に対応するとしてよい共通回転軸線周りに、それぞれ別々の方向に回転させられる構成とされていてよい。このとき、電気モータは、磁界方向制御に基づいて制御することができる。ベクトル制御とも呼ばれる磁界方向制御のアルゴリズムは、例えば電気モータ内部の導線ループにおける交番電圧および交番電流といった正弦波形ないし正弦波形に略等しい交番量（Ｗｅｃｈｓｅｌｇｒｏｅｓｓｅ）が、一周期内の一位相角に直された瞬時値（ｕｍ  ｅｉｎｅｎ  Ｐｈａｓｅｎｗｉｎｋｅｌ  ｉｎｎｅｒｈａｌｂ  ｅｉｎｅｒ  Ｐｅｒｉｏｄｅ  ｂｅｒｅｉｎｉｇｔｅｎ  Ｍｏｍｅｎｔａｎｗｅｒｔ）において調節されるという制御の考え方を実行するためのアルゴリズムであると解することができる。ここで、検出された交番量は、交番量の周波数で回転する電気モータ内の座標系にそれぞれ写すことができ、これにより、上記交番量から、例えば制御技術の手法を適用することが可能な一定不変量（Ｇｌｅｉｃｈｇｒｏｅｓｓｅ）を得ることができる。
【０００８】
本着想は、車両用のスタビライザが、二つの部分からなる回転バーを有することができ、これらの回転バーの部分が、電気モータにより互いに回転相対運動させられることができるという知見に基づく。二つの回転バー部分がこのように互いに逆向きに回転させられることで、例えば、車両の片側における車輪の往復動（上下動）を通して回転バーに引き起こされる捩じれ力を相殺することができ、これにより、車輪の往復動が車両の一方の側から車両の他方の側へと伝わることが防止され、その結果、車両のローリングが防止される。
【０００９】
有利な仕方で、電気モータは、このとき、磁界方向制御に基づいて或いは磁界方向制御のアルゴリズムを用いて制御されるように構成することができる。これにより、電気モータが高い回転数においてもなお十分に高いトルクを有するようにできるので、車両走行速度が大きいときの素早い車輪の往復動に追従するようになる。好ましくは、電気モータには、トランスミッション、とりわけ遊星ギヤトランスミッションが設けられている。電気モータ・トランスミッションは、コンパクトな構成ユニットに収納されていることが好ましい。
【００１０】
さらに、本着想は、ここに記載された実施形態による少なくとも一つのスタビライザを有する車両を提供する。このようなスタビライザが装備された車両は、高い走行安全性と高い走行快適性の長所を提供する。
【００１１】
ここに記載された実施形態によるスタビライザを動作させる方法は、以下のステップを有する：
往復運動（上下動）信号を読み取るステップ。ここでは、往復運動信号は、第１サスペンション部及び／又は第２サスペンション部の往復運動を表すものである。
磁界方向制御のアルゴリズムを用いるとともに往復運動信号を用いて制御信号を生成するステップ。これにより、電気モータにより第２スタビライザ部に対して第１スタビライザ部を回転動作させ、第２サスペンション部に対して第１サスペンション部を非連動にする。
【００１２】
本着想の実施形態により、上記生成のステップでは、さらに、制御信号を求めるためにｄ／ｑ変換が行われる。ｄ／ｑ変換により、三相交流機械におけるＵ，Ｖ，Ｗ軸といった三相量を、ｄ軸及びｑ軸による二軸座標系に移行させることができる。ここで、互いに直交するｄ軸及びｑ軸による座標系は、三相交流機械のロータと一緒に回転する。従って、ロータ回転数が一定のとき、回転する場が、時間的に一定の二つの量ｄ及びｑの形式で数学的に記述でき、電気モータ制御の回転数・位置精度が改善される。
【００１３】
読取りのステップでは、さらに、ロータ角度信号を読み取ることができる。ロータ角度信号は、電気モータのロータの角度を表すものでもよい。最後に、生成のステップでは、ロータ角度信号を用いてｄ／ｑ変換を行うことができる。ロータ角度信号を用いると、ロータの正確な位置を求めることができ、これにより、ｄ／ｑ座標系が正しい角速度と位相状態でロータとともに一体回転することが保証される。例えば、ロータ角度信号は、電気モータに取り付けられたホール・センサないし光学センサといった類のセンサにより検出することができる。代替的に、ロータ角度信号は、ステータ巻線における電気モータの力を解析するといったフィードバックにより、無センサでも得ることができる。
【００１４】
本着想の他の実施形態は、生成のステップで、さらに電気モータの磁束密度及びトルクを用いて制御信号を求めようというものである。代替的に、トルクと磁束密度との関係を用いて制御信号を求めることができる。例えば、トルクと磁束密度は、ｄ／ｑ変換のｄ軸及びｑ軸を用いて表されていてもよく、ＰＩコントローラにより形成することができる。
【００１５】
さらに、生成のステップでは、状態観測器システムに基づいて制御信号を求めることができる。状態観測器システムとは、観測された参照システム（Ｒｅｆｅｒｅｎｚｓｙｓｔｅｍ）の既知の入力量と出力量とから、観測可能でない量（例えば、仮想的な制御量）を再構築するように構成されている数学的なシステムと捉えることができる。このような状態観測器システムは、電気モータの理想的なモデルと実際の状態との間のずれを修正するように、内部制御回路（ｉｎｎｅｒｅｒ  Ｒｅｇｅｌｋｒｅｉｓ）として機能することができる。例えば、状態観測器システムは、ルーエンバーガー観測器（制御対象モデルのための状態観測器の並列接続回路についてのデービッド・ルーエンバーガー（Ｄａｖｉｄ  Ｌｕｅｎｂｅｒｇｅｒ）の理論によるもの。）であってもよい。こうして、ロータの速度ないし回転角を検出する際の精度を高めることができる。
【００１６】
最後に、本着想は、ここに述べた実施形態による方法の全てのステップを実行するように構成されている制御装置を提供する。
【００１７】
制御装置は、ここでは、センサ信号を処理し、それに基づいて制御信号及び／又はデータ信号を出力する電気的な装置と捉えることができる。制御装置は、インターフェースを有していてもよく、当該インターフェースは、ハードウェア的及び／又はソフトウェア的に形成されていてよい。ハードウェア的な構成では、インターフェースは、例えば、制御装置の様々な機能を内包したいわゆるシステムＡＳＩＣの一部であってもよい。しかしながら、インターフェースが固有の集積回路とされているか或いは少なくとも部分的に分離された素子からなるというのでもよい。ソフトウェア的な構成では、インターフェースは、例えば、他のソフトウェアモジュールとは別にマイクロコントローラ上に存在するソフトウェアモジュールとされていてもよい。
【００１８】
プログラムコードを有するコンピュータプログラム製品も有利である。プログラムコードは、半導体メモリ、ハードディスク或いは光学メモリといった、機械により読み取り可能な媒体上に保存されていてよく、プログラムがコンピュータないし装置上で実行されるときに、上述の実施形態による方法を実施するのに用いられる。
【００１９】
本発明を添付の図面に基づいて例により詳しく説明する。
【図面の簡単な説明】
【００２０】
【図１】本発明の実施例によるスタビライザを有する車両の概略図である。
【図２】カーブ走行時における従来のスタビライザを有する車両の概略図である。
【図３】油圧でロール安定化を行う従来のスタビライザの概略図である。
【図４】油圧でロール安定化を行う従来のスタビライザに用いる油圧モータの概略図である。
【図５】本発明の実施例によるスタビライザの概略図である。
【図６】ブラシレスＤＣ制御（ブラシレスＤＣドライブ）による電気モータの特性曲線の概略図である。
【図７】本発明の実施例に係るＦＯＲ制御（ＦＯＲドライブ）による電気モータの特性曲線の概略図である。
【図８】本発明の実施例に係るスタビライザを動作させる方法のフロー図である。
【図９】本発明の実施例に係るスタビライザを動作させる方法を実施する制御装置のブロック図である。
【発明を実施するための形態】
【００２１】
本発明の好ましい実施形態の以下の記載において、別々の図面に示された、似た働きをする部材には、同じか類似の符号を用い、これらの部材の説明を繰り返すことは省く。
【００２２】
図１は、本発明の実施例によるスタビライザ１０５を有する車両１００の概略図を示す。スタビライザ１０５は、第１スタビライザ部１１０と第２スタビライザ部１１５とを有する二分割された回転バーとして構成されている。本実施例では、第１スタビライザ部１１０の端部は、車両１００の第１サスペンション部１２０に接続されており、第２スタビライザ部１１５の端部は、車両１００の第２サスペンション部１２５に接続されている。例えば、スタビライザ部１１０，１１５の端部は、ヒンジ式に支持されたスタビライザーリンクとして形成されている。サスペンション部１２０，１２５は、例えば、対向した位置にある車両１００のトランスバースコントロールアームである。スタビライザ部１１０，１１５は、それぞれ車体支持部１３０によって共通の回転軸線Ｄ−Ｄ周りに回転自在に車両１００のシャシに固定されている。回転軸線Ｄ−Ｄは、本実施例では、例えば、車両１００の横軸線に相当する。
【００２３】
車両１００の車両中心に臨むスタビライザ部１１０，１１５の一端部は、アクチュエータとしての共通の電気モータ１３５にそれぞれ機械的に連結されている。電気モータ１３５は、制御信号を用いて、スタビライザ部１１０，１１５を回転軸線Ｄ−Ｄ周りにそれぞれ別々の方向へ回転させる構成とされている。ここで、制御信号は、磁界方向制御に基づいて求められた信号である。スタビライザ部１１０，１１５を反対向きに回転させることにより、サスペンション部１２０，１２５は、いわば機械的に相互に連結が切り離される（互いに非連動にされる）。
【００２４】
本発明の実施例によれば、車両１００は、装置１４０を有して構成されており、当該装置１４０は、電気モータ１３５に接続されていて制御信号を供給するように形成されている。
【００２５】
車両の快適さは、とりわけ、いわゆる倣い特性（Ｋｏｐｉｅｒｖｅｒｈａｌｔｅｎ）に左右される。倣いとは、車両の一方の側の車輪の往復動が、スタビライザによる両輪の結合を介して、車両の他方の側の車輪に伝えられるという意味である。これにより、車両は、ロールが引き起こされる可能性があり、それが快適さを損なわせることになりかねない。
【００２６】
このようなローリングを防ぐために、油圧式であれ、電気機械式であれ、ロール・スタビライザ・システムは、両側車輪を相互に非連動に構成することができる。
【００２７】
電気機械式のシステムの両スタビライザ半部１１０，１１５は、例えば、遊星ギヤトランスミッションと電気モータ１３５とを介して互いに連結されている。路面の凸凹の上を通るときなどのように、車輪が一方側で垂直方向の往復動により励振させられると、電気モータ１３５は、両輪を相互に非連動にするために、できるだけ素早く車輪の動きに追従しなければならない。そのために、従来のアクティブ・システムは、例えば、できるだけしなやかに設けられたスタビライザを有している。
【００２８】
この場合、スタビライザのしなやかさの度合いは、例えばスタビライザ自身によって、或いは、ゴム部材といった追加の部材によって、スタビライザ背部（Ｓｔａｂｉｌｉｓａｔｏｒｒｕｅｃｋｅｎ）やスタビライザの関節レバー（Ａｎｌｅｎｋｕｎｇｓｈｅｂｅｌ）において調節される。
【００２９】
車輪の往復動の動的成分は、上記のようにしなやかに形成されたスタビライザによって吸収することができるので、この動きの成分が電気モータに達することはない。
【００３０】
他方、このようなスタビライザは、カーブ走行時には、調節システムにより実行された動作が車輪に遅れて伝えられるように作用する可能性がある。
【００３１】
かなり硬いスタビライザは、調節運動がそのまま車輪に伝えられるため、車両がカーブを走行する際に発生するローリングが、本着想において略取り除かれるように作用することができる。
【００３２】
しなやかなスタビライザを用いることや、例えばゴムから製造された然るべき部材をスタビライザ背部及び／又はスタビライザ脚部に用いること、或いはスタビライザを特殊な態様にすることは、特に取り付けや耐久性に関して、追加の手間がかなりかかる可能性がある。さらに、例えば、追加部材とスタビライザとの間に、接続に用いられる追加的な境界部（インターフェース）が、必要となる可能性がある。スタビライザの耐久性を確保するために、スタビライザは、最低限の硬さを有していなければならず、つまり、スタビライザは、所定の直径を下回るものであってはならない。
【００３３】
この問題点を回避するために、本発明の実施例による電気的なロール安定化は、磁界方向制御による電気モータ１３５を有している。これにより、高い回転数領域に亘って十分な加速トルクが利用可能になる。
【００３４】
図２は、カーブ走行時における従来のスタビライザ２００を有した車両１００の概略図を示す。図１とは異なり、図２に示された車両１００は、一体型の回転バーとして構成された電気モータ無しのスタビライザ２００を有して構成されている。車両１００のボディは、カーブ走行中に作用する遠心力によって、カーブ外側に向かって傾き、そのために、車両１００のカーブ外側の車輪２０５がスプリングを押し縮めている。
【００３５】
カーブ外側の車輪２０５がスプリングを押し縮めることで、スタビライザ２００が回転運動させられ、この回転運動が、カーブ外側の車輪２０５と対向する位置に配置された、車両１００のカーブ内側の車輪２１０の負荷を軽減し或いは持ち上げるように作用する。これにより、車両１００の傾斜角は、カーブを走り抜ける際に軽減されることができる。逆に、カーブ外側の車輪２０５が再びスプリングを伸ばす場合は、カーブ内側の車輪２１０がスタビライザ２００の逆向きの回転運動により下げられる。
【００３６】
図３は、油圧式でロール安定化を行う従来のスタビライザ３００の概略図を示す。図３には、スタビライザ３００の平面図が示されている。図１に示されたスタビライザ１００と同じように、図３に示されたスタビライザ３００は、二分割された回転バーが二つのスタビライザ部１１０，１１５を有して形成されている。図１とは異なり、スタビライザ３００は、二つのスタビライザ部１１０，１１５を回転させるために、電気モータの代わりに油圧モータ３０５を有している。スタビライザ部１１０，１１５は、それぞれ、車両中心とは反対側の端部領域において、レバー３１０へと略車両長手方向に屈曲されており、これをバー脚部と称することができる。レバー３１０は、図３に不図示のサスペンション部にそれぞれ接続されるように形成されている。回転軸線Ｄ−Ｄに沿って延びるスタビライザ３００の部分的な区間は、スタビライザ背部と称することができる。スタビライザ背部は、車体支持部１３０によって、回転軸線Ｄ−Ｄ周りに回転自在に支持されている。
【００３７】
図４は、油圧式でロール安定化を行う従来のスタビライザ内で用いる油圧モータ３０５の概略図を示す。油圧モータ３０５は、ステータ４００とロータ４０５を有する。ロータ４０５は、ステータ４００内で回転軸線Ｄ−Ｄ周りに回転自在に設けられている。ステータ４００は、例えば、二つのステータベーン４１０を有して形成されている。ロータ４０５は、例えば、二つのロータベーン４１５を有して形成されている。ステータベーン４１０とロータベーン４１５には、それぞれシール部材４２０が組み込まれている。各ステータベーン４１０と各ロータベーン４１５との間の空洞は、ここでは作動室４２０として機能する。ロータ４０５は、図４に不図示のスタビライザ部と機械的に連結されるように形成されている。
【００３８】
図５は、本発明の実施例によるスタビライザ１０５の概略図を示す。図５には、スタビライザ１０５が上面視して示されている。スタビライザ１０５は、図３に示されたスタビライザ３００に似た構成とされている。図１とは異なり、図５に示された電気モータ１３５には、遊星ギヤトランスミッション５００が直列に接続されている。トランスミッション５００は、例えば、電気モータ１３５のロータの回転運動を、スタビライザ部１１０，１１５の回転軸線Ｄ−Ｄ周りの互いに反対向きの二つの回転運動に変換するように構成されている。
【００３９】
図６は、ブラシレスＤＣ制御（ＢＬＤＣ；“ブラシレスの直流”）による電気モータの特性曲線６００を表したグラフを示す。ここで、グラフの縦軸は、電気モータのトルクをニュートン・メートルで表し、グラフの横軸は、１分間あたりの電気モータの回転数を表す。図６に示されたグラフより、電気モータのトルクは、回転数が増加していくと最初は一定であることが分かる。しかしながら、回転数ｎ１に対応する第１の出力バーテックス（Ｌｅｉｓｔｕｎｇｓｅｃｋｐｕｎｋｔ）以降、トルクは、モータ回転数が増加するにつれて線形的に低下する。回転数ｎ２に対応する第２出力バーテックス以降は、トルクはついにゼロに等しくなる。これは、システムが、特定の回転数以降、車両の車輪の動きに追随できるようにするための加速能力をもはや有さなくなることを意味する。そのため、システムは硬直し、車両の両輪は、もはや互いに非連動状態にならない。
【００４０】
図７は、本発明の実施例のＦＯＲ制御（ＦＯＲ＝磁界方向制御）による電気モータの特性曲線７００を表したグラフを示す。電気モータは、例えば図１及び２に示された電気モータ１３５である。磁界方向制御により電気モータの制御を行うと、対応する特性曲線７００から分かるように、電気モータは、図６に示されたブラシレスＤＣ制御に比べると、より高い回転数ｎ３においてもまだなおモータトルクを有している。これにより、片側における車両の車輪往復動を補償することができる。
【００４１】
図６と異なり、特性曲線７００は、回転数の増加に伴い第１出力バーテックス以降に線形的に低下することはなく、近似的に線形或いは曲線形で低下し、その結果、電気モータは、回転数ｎ３に対応する第３出力バーテックス以降もまだ十分に高いトルクを有することになっている。
【００４２】
従来のロール安定化システムは、ブラシレスＤＣ制御を有していることが多い。ブラシレスＤＣ制御と比較すると、磁界方向制御によるＥＲＣシステム（ｅｌｅｃｔｒｏ−ｍｅｃｈａｎｉｃａｌ  ｒｏｌｌ  ｃｏｎｔｒｏｌ；“電気機械式ロール安定化”）の制御は、車両走行速度がより大きいときに現れるような、より大きな車輪の励振の強さ（Ｒａｄａｎｒｅｇｕｎｇｓｐｅｇｅｌ）を相殺し、その結果、走行快適性を増すことができる。
【００４３】
図８は、本発明の実施例によるスタビライザを動作させる方法８００のフロー図を示す。方法８００は、往復運動信号の読取りステップ８０５を有する。ここで、往復運動信号は、第１サスペンション部及び／又は第２サスペンション部の往復運動を表す。さらに、方法８００は、第２サスペンション部から第１サスペンション部を非連動にするために第１スタビライザ部を第２スタビライザ部に対して電気モータにより回転させるよう、磁界方向制御に基づき且つ往復運動信号を用いて制御信号を生成するステップ８１０を有する。
【００４４】
図９は、本発明の実施例によるスタビライザを動作させる方法を実施する制御装置９００のブロック図を示す。制御装置９００は、例えば図１に示された装置１４０である。制御装置９００は、往復運動信号を読み取るように形成されている読取ユニット９０５を有する。ここで、往復運動信号は、第１サスペンション部及び／又は第２サスペンション部の往復運動を表す。読取ユニット９０５は、生成ユニット９１０と接続されており、当該生成ユニットは、第２サスペンション部から第１サスペンション部を非連動にするように第１スタビライザ部を第２スタビライザ部に対して電気モータにより回転させるべく、磁界方向制御に基づきながら往復運動信号を用いて制御信号を生成するように構成されている。
【００４５】
記載され且つ図に示された実施例は、単に例として選択されているものである。異なる実施例は、全て或いは個々の特徴に関して互いに組み合わせることができる。また、一実施例が他の実施例の特徴により補完されてもよい。
【００４６】
さらに、本発明による方法のステップは、繰り返され、さらには、上記の順番とは異なる順番で実施されてもよい。
【００４７】
一実施例が第１の特徴と第２の特徴の間を“及び／又は”で結び合わせたものを有する場合、実施形態による実施例が、第１の特徴も第２の特徴も有するか、或いは、実施形態による実施例が、第１の特徴か第２の特徴のいずれかを有すると解することができる。
【符号の説明】
【００４８】
１００  車両
１０５  スタビライザ
１１０  第１スタビライザ部
１１５  第２スタビライザ部
１２０  第１サスペンション部
１２５  第２サスペンション部
１３０  車体支持部
１３５  電気モータ
１４０  制御信号を生成する装置
２００  従来のスタビライザ
３００  油圧によるロール安定化のためのスタビライザ
３０５  油圧モータ
３１０  レバー
４００  ステータ
４０５  ロータ
４１０  ステータベーン
４１５  ロータベーン
４２０  作動室
５００  トランスミッション
６００  ブラシレスＤＣ制御（ブラシレスＤＣドライブ）による電気モータの特性曲線
７００  ＦＯＲ制御（ＦＯＲドライブ）による電気モータの特性曲線
８００  スタビライザを動作させる方法
８０５  往復運動信号の読取り
８１０  制御信号の生成
９００  制御装置
９０５  読取ユニット
９１０  生成ユニット
【図１】
0006472456.tif 000002
【図２】
0006472456.tif 000003
【図３】
0006472456.tif 000004
【図４】
0006472456.tif 000005
【図５】
0006472456.tif 000006
【図６】
0006472456.tif 000007
【図７】
0006472456.tif 000008
【図８】
0006472456.tif 000009
【図９】
0006472456.tif 000010